(57)【要約】【課題】  架台部分を備えた洗濯機用防水パンについて、施工後であっても洗濯機用防水パンの設置位置をある程度調整可能とし、且つ洗濯機に合わせてその大きさを調整することが可能で、またリフォームの際には洗濯機の設置位置を変更することが可能な、洗濯機用架台及び洗濯機用防水パンを提供する。【解決手段】  洗濯機用架台及び洗濯機用防水パンを、洗濯機を載置する洗濯機用架台と、該洗濯機用架台とは異なる部材として設けられ、洗濯機用架台に対して水平方向に位置調整可能な、洗濯機または洗濯機の部材からの漏水を受ける洗濯機用防水パンと、から構成する。また、上記洗濯機用架台及び洗濯機用防水パンにおいて、洗濯機用架台を、互いの間隔を調整可能な複数の架台部材から構成する。【選択図】図３
2018123565.tif 000002
【特許請求の範囲】
【請求項１】
洗濯機用架台及び洗濯機用防水パンであって、
洗濯機を載置する洗濯機用架台と、
該洗濯機用架台とは異なる部材として設けられ、洗濯機用架台に対して水平方向に位置調整可能な、洗濯機または洗濯機の部材からの漏水を受ける洗濯機用防水パンと、
から構成されることを特徴とする洗濯機用架台及び洗濯機用防水パン。
【請求項２】
上記洗濯機用架台及び洗濯機用防水パンにおいて、
洗濯機用架台を、互いの間隔を調整可能な複数の架台部材から構成したことを特徴とする、請求項１に記載の洗濯機用架台及び洗濯機用防水パン。
【請求項３】
上記洗濯機用架台及び洗濯機用防水パンにおいて、
複数の架台部材の互いの間隔を固定する固定機構を備えたことを特徴とする、請求項２に記載の洗濯機用架台及び洗濯機用防水パン。
【請求項４】
洗濯機用架台及び洗濯機用防水パンであって、
洗濯機用防水パンを、洗濯機用架台の内側に配置したことを特徴とする、請求項１乃至請求項３のいずれか一つに記載の洗濯機用架台及び洗濯機用防水パン。
【請求項５】
上記洗濯機用防水パンの外側面形状は、架台部材の、洗濯機用架台における内側の側面形状に合致することを特徴とする、請求項４に記載の洗濯機用架台及び洗濯機用防水パン。
【請求項６】
上記洗濯機用防水パンには、洗濯機からの排水を下水側に排水するための排水接続口を備え、
該洗濯機用防水パンの排水接続口へ接続される排水配管を支持する支持台を備えたことを特徴とする、請求項１乃至請求項５のいずれか一つに記載の洗濯機用架台及び洗濯機用防水パン。
【発明の詳細な説明】
【技術分野】
【０００１】
本発明は、床面上に洗濯機を配置する際に、洗濯機を載置する洗濯機用架台と、この洗濯機用架台に組み合わせて使用する洗濯機用防水パンに関するものである。
【背景技術】
【０００２】
従来より、洗濯機を床面上に配置する場合に、特許文献１に記載したような、四隅に一体的に架台部分を設けた洗濯機用防水パンを床面上に設置し、この洗濯機用防水パンの架台部分の上に洗濯機の脚部を配置する施工方法が知られている。
このように、洗濯機用防水パンの上に洗濯機の脚部を配置することで、洗濯機の通常の使用による配管の接続箇所からの漏水が発生した場合や、洗濯機やその配管が破損し、漏水が発生した場合に、洗濯機用防水パンが漏水を受け止めることで、床面に漏水が生じることを防ぎ、床面に洗濯機排水によるダメージや汚損が生じることを防止することができる。
また、洗濯機を洗濯機用防水パンの架台部分に載置することで、洗濯機の底面と洗濯機用防水パンの底面との間に隙間を確保し、清掃作業の際に清掃作業者の手を入れることを可能とし、清掃性を向上させることができる。
また、洗濯機を洗濯機用防水パンの架台部分に載置することで、ドラム式洗濯機のように、洗濯物の取り出し位置が低い洗濯機を嵩上げして洗濯物の取り出し位置を好適なものとすることができ、作業性を向上させることができる。
また、洗濯機からの排水の処理にサイホンによる排水を用いる場合等は、架台部分に洗濯機を配置することで、洗濯機からの排水配管を接続する排水接続部も高い位置とすることが可能となり、サイホン効果をより発生しやすくすることができる。
【０００３】
【特許文献１】特開２００８−８８６３０号
【発明の開示】
【発明が解決しようとする課題】
【０００４】
上記のような従来の洗濯機用の架台には、以下に記載するような問題点があった。
洗濯機用防水パンを使用する場合、床面上に開口を設け、この開口から床下配管へ連絡する管体を垂立させておき、この管体を洗濯機用防水パンに設けられた排水接続口に接続させることで施工を行う。洗濯機の施工時に、排水接続口に洗濯機からの排水を処理するホースなどの排水配管を接続することで、洗濯機からの排水を床下配管に排出することが可能となる。
しかしながら、床面上に床下配管への接続部分となる開口及び管体を設ける作業は、洗濯機の設置よりも以前の、建物の建築中に行われるため、当然ながら洗濯機や設置場所に合わせて位置を調整することは不可能であり、大体の設置予定位置に、開口及び管体を設けることとなる。
実際には、床下配管との接続箇所を移動させることは困難であり、また洗濯機用防水パンの床下配管との接続箇所となる管体と洗濯機用防水パンの排水接続口との接続作業も、技術を持った施工業者以外には難しい作業のため、建物の建築時に床面に開口を設ける作業、洗濯機用防水パンの排水接続口との配管作業、及び洗濯機用防水パンの設置作業は施工業者が行い、建物の使用者は洗濯機のサイズとは無関係に備えつけられた洗濯機用防水パンに、用意した洗濯機を設置する、という対応しかできなかった。
このため、洗濯機の寸法に対して洗濯機用防水パンの大きさがアンバランスであったり、洗濯機用防水パンに合わせて洗濯機の種類が制限され、希望した洗濯機を設置することができない、といった問題が生じていた。
【０００５】
更に、建物をリフォームする際には、床下配管の位置と、洗濯機の設置場所が合致しない、という問題が生じていた。
建物をリフォームする際には、洗面台や流し台、洗濯機など、各種機器のレイアウトを変更したい、という要望がある。ところが、床下配管はリフォームの際にその位置等を容易に変更することはできず、排水機器との接続箇所となる床面の開口と、開口から垂立させた管体の位置はリフォーム前と同じ位置にせざるを得ない場合がある。流し台や洗面台のように、排水機器の排水口と床面の開口／管体までの間に充分な高さ幅がある場合は、排水口と床面の開口／管体の間に、水平方向へ配管を延出すれば位置調整は容易である。
しかし、洗濯機用防水パンでは、排水接続口がかなり低い位置にあるため、排水接続口と床面の開口／管体の間に、水平方向へ配管を延出するだけの余裕が無く、その位置を変更することが困難である。
また、リフォームに際して洗濯機用防水パンも新しいものに変更するが、この時従来より使用していた洗濯機用防水パンと寸法や排水接続口の位置が同じものが用意できるとは限らず、新しい洗濯機用防水パンの排水接続口を、床面の開口から垂立する管体に接続させようとするも洗濯機用防水パンの寸法が合わず洗濯機用防水パンが壁面に干渉してしまい、設置できない、または逆に洗濯機用防水パンと壁面の間に、数センチメートル程度の無駄な隙間が開いてしまう、等の問題が生じることもあった。
また、洗濯機はリフォーム前後で同じ洗濯機を使用する場合がほとんどであるが、前述のように洗濯機用防水パンは変更されているため、新しい洗濯機用防水パンの寸法が洗濯機に合致せず、洗濯機が大きくて洗濯機用防水パンからはみ出す、または逆に洗濯機が小さくて手架台部分に載置できない、という問題が生じることがあった。
本発明は上記問題点に鑑み発明されたものであって、架台部分を備えた洗濯機用防水パンについて、施工後であっても洗濯機用防水パンの設置位置をある程度調整可能とし、且つ洗濯機に合わせてその大きさを調整することが可能で、またリフォームの際には洗濯機の設置位置を変更することが可能な、洗濯機用架台及び洗濯機用防水パンを提供するものである。
【課題を解決するための手段】
【０００６】
請求項１に記載の本発明は、洗濯機用架台及び洗濯機用防水パンであって、洗濯機を載置する洗濯機用架台と、該洗濯機用架台とは異なる部材として設けられ、洗濯機用架台に対して水平方向に位置調整可能な、洗濯機または洗濯機の部材からの漏水を受ける洗濯機用防水パンと、から構成されることを特徴とする洗濯機用架台及び洗濯機用防水パンである。
【０００７】
請求項２に記載の本発明は、上記洗濯機用架台及び洗濯機用防水パンにおいて、洗濯機用架台を、互いの間隔を調整可能な複数の架台部材から構成したことを特徴とする、請求項１に記載の洗濯機用架台及び洗濯機用防水パンである。
【０００８】
請求項３に記載の本発明は、上記洗濯機用架台及び洗濯機用防水パンにおいて、複数の架台部材の互いの間隔を固定する固定機構を備えたことを特徴とする、請求項２に記載の洗濯機用架台及び洗濯機用防水パンである。
【０００９】
請求項４に記載の本発明は、洗濯機用架台及び洗濯機用防水パンであって、洗濯機用防水パンを、洗濯機用架台の内側に配置したことを特徴とする、請求項１乃至請求項３のいずれか一つに記載の洗濯機用架台及び洗濯機用防水パンである。
【００１０】
請求項５に記載の本発明は、上記洗濯機用防水パンの外側面形状は、架台部材の、洗濯機用架台における内側の側面形状に合致することを特徴とする、請求項４に記載の洗濯機用架台及び洗濯機用防水パンである。
【００１１】
請求項６に記載の本発明は、上記洗濯機用防水パンには、洗濯機からの排水を下水側に排水するための排水接続口を備え、該洗濯機用防水パンの排水接続口へ接続される排水配管を支持する支持台を備えたことを特徴とする、請求項１乃至請求項５のいずれか一つに記載の洗濯機用架台及び洗濯機用防水パンである。
【発明の効果】
【００１２】
請求項１に記載の本発明においては、洗濯機用架台と、洗濯機用防水パンの設置位置を、自由に調整して床面上に配置することができる。
請求項２に記載の本発明では、必要な数のみの架台部材を施工現場で用意するだけで、どの様な大きさの洗濯機に対しても適切な寸法とした洗濯機用架台を用意することができ、様々な寸法の洗濯機用架台を用意したり、それらを施工現場に持ち込んだりする必要が無い。
請求項３に記載の本発明では、複数の架台部材を組み合わせて洗濯機用架台を構成する場合に、各架台部材を必要な間隔に配置した上で、そのまま位置決めすることができる。
請求項４に記載の本発明では、洗濯機用架台と洗濯機用防水パンをコンパクトにまとめて配置することができる。
請求項５に記載の本発明では、空間の隙間を減らすことができ、その分洗濯機用防水パンを大きくでき、洗濯機用防水パンの容量を大きくできる。また、洗濯機用架台と洗濯機用防水パンを可能な限り小さな寸法の中に配置することができる。
請求項６に記載の本発明では、洗濯機からの配管を排水接続口に接続するのに対し、配管が途中で垂れ下がり逆勾配になることを防ぐことができる。本発明では、洗濯機用架台即ち洗濯機の配置位置と、排水接続口即ち防水パンの配置位置が自由に調整できるため、洗濯機の配管の長さや位置関係が変化しやすく、予想外に配管が長くなったり高さ位置が低くなったりする場合がある。このため、本発明のように支持台を設けると好適である。
【図面の簡単な説明】
【００１３】
【図１】第一実施例の洗濯機を載置した事例を示す斜視図である。
【図２】第一実施例の洗濯機用架台、及び洗濯機用防水パンの平面図である。
【図３】第一実施例の洗濯機用架台及び洗濯機用防水パンの斜視図である。
【図４】第一実施例の洗濯機用架台と洗濯機用防水パンの斜視図である。
【図５】図３の実施例の部材構成を示す参考図である。
【図６】第一実施例の架台部材の斜視図である。
【図７】第一実施例の架台部材の部材構成を示す参考図である。
【図８】第一実施例のカバー部材の上方からの平面図である。
【図９】図８のＡ−Ａ断面図である。
【図１０】カバー部材の、（ａ）斜視図、（ｂ）側面図、（ｃ）底面図である。
【図１１】カバー部材と架台部材の位置調整と接続固定状態を示す側面図である。
【図１２】第一実施例の洗濯機用防水パンの平面図である。
【図１３】第一実施例の洗濯機用防水パンの斜視図である。
【図１４】第一実施例の洗濯機用防水パンの断面図である。
【図１５】第一実施例の支持台の、（ａ）斜視図、（ｂ）正面図である。
【図１６】洗濯機用防水パンの施工状態を示す断面図である。
【図１７】他の実施例の洗濯機を載置した事例を示す斜視図である。
【図１８】図１７の実施例の、洗濯機用架台、及び洗濯機用防水パンの平面図である。
【図１９】図１７の実施例の洗濯機用架台と洗濯機用防水パンの、（ａ）斜視図、（ｂ）平面図である。
【実施例】
【００１４】
以下に、本発明の第一実施例を、図面を参照しつつ説明する。
本発明の第一実施例は、図１乃至図１６に示した、以下に記載する、洗濯機Ｓを載置する架台部材２と、該架台部材２を相互の間隔を位置決め調整可能に固定しつつ、架台部材２の間の隙間空間を覆い隠すカバー部材３と、からなる洗濯機用架台１と、該洗濯機用架台１の内部に配置される洗濯機用防水パン４と、から構成される。尚、本実施例では、一組の洗濯機用架台１を設ける場合に、架台部材２とカバー部材３をそれぞれ４つ使用する。
架台部材２は、図６乃至図９に示したように、平面視略正方形を成す、下方が開放した箱体からなる部材であって、その内部には複数のリブを設けて上方からの荷重に対する強度を確保してなる。また、側面方向においては、下方程若干外側に拡大するような傾斜を設けてなる。
また、架台部材２上面から箱体内部に筒状部分を垂下してなり、ビス部材Ｂを利用して箱体の位置を床面Ｆに固定することができる。
また、架台部材２の上面にはゴム材からなる板状の滑り止め部材２ａを、下方の開口には、ゴム材からなる板状の底板部材２ｂを、それぞれ配置固定可能に構成してなる。滑り止め部材２ａ及び底板部材２ｂはゴム材から構成されているため、洗濯機Ｓなどの作動の際の振動を軽減し、また洗濯機用架台１が振動で移動したり、床面Ｆと洗濯機用架台１とが当たってカタカタと衝突音を生じる、といった問題が発生することを防ぐことができる。尚、底板部材２ｂには、ビス部材Ｂが貫通する位置に合わせて孔が設けられてなる。
また、架台部材２上面であって、施工が完了し、洗濯機用架台１として組み合わせた時（以下「洗濯機用架台時」と記載）に洗濯機用架台１の外側側面となる片に沿って、同形状の凸部２ｃを複数等間隔に配置してなる。
カバー部材３は、架台部材２間を覆い隠す部材であって、図１０に示したように、２枚の板を側面視略Ｌ字形状を成すように組みあわせてなる。また、洗濯機用架台時、外側面となる部分の上端近傍に折り返し部分を設け、この折り返し部分の下面近傍に、架台部材２の凸部２ｃが嵌合する凹部３ａを複数備えてなる。
洗濯機用防水パン４は、図１２乃至図１４に示したように、平面視略十字形状を成す部材であって、十字形状を成す底面部４ａと、底面部４ａの外周から上方に垂立した壁面部４ｂと、底面部４ａの中央から上方に延出した筒状部４ｃと、から構成されてなる。また筒状部４ｃの上端は、床下配管との接続を行う為の排水接続口４ｄを形成してなる。
また、十字形状の端部に当たる位置の壁面部４ｂの一つの上面に、洗濯機Ｓ用の排水配管を支持する支持台５を固定する固定部４ｅを備えてなる。
ここで、洗濯機用防水パン４の外側形状及び寸法は、以下の条件１、条件２を満たすように構成されている。
条件１．本実施の洗濯機用防水パン４は平面視略十字形状である。その十字形状の４か所の窪み部分（図１２の４ｆで示した部分）での洗濯機用防水パン４の外側面の形状は、架台部材２の、洗濯機用架台時に内側面となる部分と合致し、少なくとも側面の部分同士は当接することができるような形状に構成されてなる。
条件２．洗濯機用架台１は、後述のように、架台部材２の間隔をある程度調整した上で固定する固定機構を備えてなるが、洗濯機用防水パン４は、洗濯機用架台１の各辺を最も短くした状態においても、洗濯機用架台１の内側に洗濯機用防水パン４を収納配置することが可能な寸法に設計されている。
ここで、「洗濯機用架台１の内側に洗濯機用防水パン４を収納配置する」とは、本実施例では、「架台部材２及びカバー部材３によって区画される枠の内側」を意味するものである。本発明は洗濯機用防水パン４が十字形状であることから、上記「架台部材２及びカバー部材３によって区画される枠の内側」のスペースを有効活用できる。即ち、洗濯機用架台１が最小に設定された場合であっても十字形状の各端部が各架台部材２間に配置されることから、漏水等を貯留可能な空間を広くとることが可能となる。
洗濯機用架台１に、カバー部材３のような明確に内外を区画する部材が無い場合は、「洗濯機用架台１の内側に洗濯機用防水パン４を収納配置する」とは「側面方向視においては、架台部材２の側面方向の輪郭の内側に、洗濯機用防水パン４の輪郭が収まっている」ことを意味するものである。
支持台５は、図１５に示したように、一部が開閉自在に開口して洗濯機Ｓのホース管６ａを保持する保持部５ａと、該保持部５ａの下方で洗濯機用防水パン４の固定部４ｅに固定可能な被固定部５ｂを備えてなる。
また、本実施例の洗濯機用架台１に載置される洗濯機Ｓは、洗濯機Ｓの使用によって生じた排水を排出するため、ホース管６ａと、このホース管６ａの端部に備えられた、排水接続口４ｄに接続可能なエルボ部材６ｂを備えてなる。
【００１５】
以下に、本発明の洗濯機用架台１と洗濯機用防水パン４の施工方法を、図面を参照しつつ記載する。
尚、本実施例では洗濯機Ｓを設置・施工する床面Ｆ上には開口が形成され、この開口から洗濯機用防水パン４の排水接続口４ｄに接続するための床下配管との接続用管体Ｐが上方に延出してなる。
まず、４つある架台部材２の底面に、底板部材２ｂを取り付け固定する。
次に、設置する床面Ｆに架台部材２の配置レイアウトを設定する。床面の開口Ｏ、この開口から延出された床下配管との接続用管体Ｐ、また壁面との位置関係等を考慮しつつ、ある程度一般的な洗濯機Ｓの寸法を前提として、洗濯機用架台１の一辺が壁面に沿うように配置するのが比較的望ましい。また、この時の配置レイアウトとしては、４つの架台部材２の、洗濯機用架台時に外側面となる外側側面が、正確に正方形または長方形、つまり角部分が垂直な四角形を形成するようにレイアウトする。
このレイアウトに合わせて４つの架台部材２を配置し、その内の壁面に沿って配置される一つの架台部材２を、ビス部材Ｂによって床面Ｆ上に固定する。
次に、図１１に示したように、カバー部材３の凹部３ａを、架台部材２の凸部２ｃに嵌合固定させて、カバー部材３を介し、各架台部材２の方向と間隔を固定する。尚、図１１においては、固定機構の動きを理解しやすくするため、カバー部材３のみ図１０（ｃ）のＢ−Ｂ断面図として図示している。
図１１にて示したように、カバー部材３の凹部３ａと架台部材２の凸部２ｃを嵌合固定することで、４つの架台部材２は互いの間隔が固定される。即ち、架台部材２の凸部２ｃと、凹部３ａを設けたカバー部材３とが、本実施例における固定機構である。
この固定機構は、図１１の（ｂ）、（ｃ）に示したように、凸部２ｃと凹部３ａが嵌合する位置を変更することで、架台部材２同士の間隔を変更し、調整した上で接続固定することが可能である。
また、架台部材２の一つが、床面Ｆに対しビス部材Ｂによって固定されているため、洗濯機用架台１が、床面Ｆに対して位置決め固定される。
次に、各架台部材２の上面に滑り止め部材２ａを配置固定する。
次に、洗濯機用防水パン４が、洗濯機用架台１の内側に配置され、且つ床下配管との接続用管体Ｐの位置に、排水接続口４ｄを合致させ、配管接続を行いつつ配置する。本実施例では、洗濯機用防水パン４の筒状部４ｃの上端にある排水接続口４ｄの下方から、その外径が床下配管との接続用管体Ｐの内径とほぼ同じ外径の筒体が垂下されており、床下配管との接続用管体Ｐの内面、または排水接続口４ｄからの筒体の外面に接着剤を塗布しておくことで、床下配管と排水接続口４ｄとの水密的な接続が行われる。
尚、この際に、本実施例の洗濯機用架台１と洗濯機用防水パン４はそれぞれ別の部材として構成され、また水平方向において、洗濯機用架台１に対し洗濯機用防水パン４は位置を変更し、調整して設置が可能に構成されている。洗濯機用防水パン４は配管の設置のために設置位置に制限を受けるが、施工作業の際には洗濯機用防水パン４の位置に対して、洗濯機用架台１の位置をある程度自由に設定できる。このため、例えば壁面に沿って洗濯機用架台１を配置する、等の設置が容易に可能である。
例えば図２の洗濯機用架台１の場合、洗濯機用防水パン４が配管の関係で固定されていたとしても、図中上方向また左右方向に洗濯機用防水パン４が干渉するまで移動させ、位置調整することができる。
次に、洗濯機用防水パン４の固定部４ｅと支持台５の被固定部５ｂとを接続固定した上で、洗濯機用架台１上に、洗濯機Ｓを、洗濯機Ｓの脚部が架台部材２の上面に載架するようにして配置する。
更に、洗濯機Ｓのホース管６ａを、支持台５の保持部５ａに保持させた上で、その洗濯機Ｓの排水配管端部を排水接続口４ｄに接続し、本実施例の洗濯機用架台１及び洗濯機用防水パン４の施工が完了する。尚、施工完了時の洗濯機用防水パン４の配管構造は、図１６に示したようになっている。
【００１６】
上記の様に構成した本発明の第一実施例において、洗濯機用架台１の寸法が、洗濯機Ｓの寸法に合致しなかった場合、洗濯機用架台１や洗濯機用防水パン４の設置後であっても、架台部材２とカバー部材３の嵌合接続を解除し、洗濯機Ｓの寸法に合わせて改めて接続固定することで、洗濯機用架台１の大きさを変更することができ、様々な寸法の洗濯機Ｓの中から、使用者が望む洗濯機Ｓを選択し、支障なく設置することができる。
また、洗濯機用架台１の寸法が変更できるため、リフォームの際には、リフォーム前に使用していた洗濯機Ｓに合わせて洗濯機用架台１の寸法を変更し、洗濯機Ｓをそのまま使用することができる。
また、リフォームに際して、洗濯機用防水パン４と洗濯機用架台１が別の部材によって構成されているため、洗濯機用架台１を壁面等希望する位置に配置しつつ、床面の開口Ｏから垂立する管体と洗濯機用防水パン４の排水接続口４ｄも位置を合わせた上で、支障なく接続することができる。
また施工時には、洗濯機Ｓ用の排水配管を支持する支持台５を備えたことで洗濯機Ｓ用の排水配管が逆勾配等になることが無いようにすることができる。
【００１７】
本発明の実施例は以上のようであるが、本発明は上記実施例に限定される物ではなく、主旨を変更しない範囲において自由に変更が可能である。
例えば、上記実施例では、洗濯機用架台１は平面視略正方形形状に構成されてなるが、本発明は上記実施例に限定されるものでは無く、必要に応じて円形や略多角形形状に構成しても良い。またこの場合に、適宜洗濯機用防水パン４の外側面形状を、架台部材２の、洗濯機用架台１における内側の側面形状に合致するように構成することも、必要に応じて適宜採用して構わない。
また、上記実施例においては、洗濯機用架台１は、複数の架台部材２を固定機構を用いて互いに組み合わせることで構成されてなるが、本発明は上記実施例に限定されるものでは無く、複数の架台部材２をそのままビス部材Ｂなどで固定して使用しても構わない。この場合、洗濯機用架台１の間隔の調整には、一度ビス部材Ｂを緩めて架台部材２のビス部材Ｂによる固定を解除し、架台部材２を適切な位置に移動させた上で、再度ビス部材Ｂにより架台部材２を固定させる。
また、上記実施例においては、洗濯機用架台１は、複数の架台部材２を組み合わせて構成されてなるが、本発明は上記実施例に限定されるものでは無く、図１７乃至図１９に示したように、洗濯機用架台１を一体の部材から構築しても構わない。
また、上記実施例においては、洗濯機用防水パン４を洗濯機用架台１の内部に収納して配置してなるが、洗濯機Ｓ用無粋パンは、図１７、図１８に示した実施例の施工状態のように、必要に応じて洗濯機用架台１の内部からはみ出した位置や、離間した位置に配置しても構わない。この場合でも洗濯機Ｓの排水配管の継ぎ目などから漏水した排水を、洗濯機用防水パン４が受け止めて、床面Ｆが破損乃至汚されることを防止することができる。
本発明の洗濯機用防水パン４は、洗濯機用架台１が最小サイズに設定された際、窪み部分に架台部材２が収納されるように構成している。従って、洗濯機用防水パン４が最小に設定された場合であっても、洗濯機用防水パン４が内部に十分な水量を貯留することが可能に成り、洗濯機Ｓから漏水が生じた際等において、床面に洗濯機Ｓからの排水によるダメージや汚損が生じることを防止することができる。
【符号の説明】
【００１８】
１    洗濯機用架台                ２    架台部材
２ａ  滑り止め部材                ２ｂ  底板部材
２ｃ  凸部                        ３    カバー部材
３ａ  凹部                        ４    洗濯機用防水パン
４ａ  底面部                      ４ｂ  壁面部
４ｃ  筒状部                      ４ｄ  排水接続口
４ｅ  固定部                      ４ｆ  窪み部分
５    支持台                      ５ａ  保持部
５ｂ  被固定部                    ６ａ  ホース管
６ｂ  エルボ部材                  Ｂ    ビス部材
Ｆ    床面                        Ｏ    床面の開口
Ｐ    床下配管との接続用管体      Ｓ    洗濯機
【図１】
2018123565.tif 000003
【図２】
2018123565.tif 000004
【図３】
2018123565.tif 000005
【図４】
2018123565.tif 000006
【図５】
2018123565.tif 000007
【図６】
2018123565.tif 000008
【図７】
2018123565.tif 000009
【図８】
2018123565.tif 000010
【図９】
2018123565.tif 000011
【図１０】
2018123565.tif 000012
【図１１】
2018123565.tif 000013
【図１２】
2018123565.tif 000014
【図１３】
2018123565.tif 000015
【図１４】
2018123565.tif 000016
【図１５】
2018123565.tif 000017
【図１６】
2018123565.tif 000018
【図１７】
2018123565.tif 000019
【図１８】
2018123565.tif 000020
【図１９】
2018123565.tif 000021